(57)【要約】情報サーバ及び対応する電話機が開示され、当該サーバは、各レコードが位置タグによって識別され且つ特定の位置についての情報を含む、複数のレコードのデータベースを含み、前記位置タグの少なくとも幾つかは、対応する特定の位置でビジネスを遂行する組織体の名称の記述ではなく且つ前記対応する特定の位置のアドレスの部分を形成いない。対応する通信電話機を使用して、ユーザは、遠隔地から電話機のキーパッドを使用して位置タグを入力して前記データベースにアクセス及び照会して、当該位置タグによって識別されるレコードに含まれる特定の位置についての情報を検索できる。また、特定の位置に配置されると共に前述のタイプの位置タグを伝え、且つ、特にビルディングに取り付けられる壁板状物の形態であり、前記位置タグによって識別されるレコードに含まれる情報は、前記ビルディング内のビジネスを遂行する組織体に関するサインが、開示される。
2005521957.tif 000002
【特許請求の範囲】
【請求項１】
各レコードが位置タグによって識別され且つ特定の位置についての情報を含む、複数のレコードのデータベースを含む情報サーバであって、前記位置タグの少なくとも幾つかは、対応する特定の位置でビジネスを遂行する組織体の名称の記述ではなく且つ前記対応する特定の位置のアドレスの部分を形成せず、ユーザは、遠隔地から電話機のキーパッドを使用して位置タグを入力して前記データベースにアクセス及び照会して、当該位置タグによって識別されるレコードに含まれる特定の位置についての情報を検索できる、情報サーバ。
【請求項２】
各位置タグは、０から９の数字と星印（＊）とハッシュ（＃）記号のみからなる、請求項１に記載のサーバ。
【請求項３】
各位置タグは、０から９の数字のみからなる、請求項２に記載のサーバ。
【請求項４】
少なくとも一つのレコードは、特定の位置の座標を含む、請求項１から３のいずれか一項に記載のサーバ。
【請求項５】
少なくとも一つのレコードは、特定のアドレスを含む、請求項１から４のいずれか一項に記載のサーバ。
【請求項６】
少なくとも一つのレコードは、特定の位置に対する複数の方向を含む、請求項１から５のいずれか一項に記載のサーバ。
【請求項７】
少なくとも一つのレコードは、特定の位置でビジネスを遂行する組織体についての情報を含む、請求項１から６のいずれか一項に記載のサーバ。
【請求項８】
各レコードが位置タグによって識別され且つ特定の位置についての情報を含む、複数のレコードのデータベースを含む情報サーバに接続するのに適する電話機であって、前記位置タグの少なくとも幾つかが対応する特定の位置でビジネスを遂行する組織体の名称の記述ではなく且つ前記対応する特定の位置のアドレスの部分を形成せず、ユーザは、遠隔地から電話キーパッドを使用して位置タグを入力して前記データベースにアクセス及び照会して、当該位置タグによって識別されるレコードに含まれる特定の位置についての情報を検索できる、電話機。
【請求項９】
前記データベースは、ユーザが０から９の数字と星印（＊）とハッシュ（＃）記号のみを使用して電話機のキーパッドに位置タグを入力するかまたは事前に入力した事によって、照会されることができる、請求項８に記載の電話機。
【請求項１０】
前記データベースは、ユーザが０から９の数字のみを使用して電話機のキーパッドに位置タグを入力するかまたは事前に入力した事によって、照会されることができる、請求項９に記載の電話機。
【請求項１１】
前記サーバから検索される特定の位置についての情報は、前記特定の位置の座標、前記特定の位置のアドレス、または前記特定の位置に対する複数の方向のいずれかを含み、且つ前記電話機は、ユーザに対して前記電話機の現在の位置から前記特定の位置への複数の方向を提供するように構成される、請求項８から１０のいずれか一項に記載の電話機。
【請求項１２】
前記電話機は、前記電話機の現在位置を決定するための位置決定手段を備える、請求項１１に記載の電話機。
【請求項１３】
特定の位置に配置され且つ前記位置についての情報を含むデータベース中の特定のレコードを識別する位置タグを伝えるサインであって、前記位置タグは、前記データベースに保持された多くのそのような位置タグの一つであり、且つ前記位置タグの少なくとも幾つかは、前記特定の位置でビジネスを遂行する組織体の名称の記述ではなく且つ前記特定の位置のアドレスの部分を形成しない、サイン。
【請求項１４】
前記サインが搬送する位置タグは、前記特定の位置でビジネスを遂行する組織体の名称の記述ではなく且つ前記特定の位置のアドレスの部分を形成しない、請求項１３に記載のサイン。
【請求項１５】
前記位置タグは、０から９の数字と星印（＊）とハッシュ（＃）記号のみからなる、請求項１３または１４に記載のサイン。
【請求項１６】
前記位置タグは、０から９の数字のみからなる、請求項１５に記載のサイン。
【請求項１７】
ビルディングに取り付けられる壁板状物の形態であり、前記位置タグによって識別されるデータベース中のレコードに含まれる情報は、前記ビルディング内のビジネスを遂行する組織体に関する、請求項１３から１６に記載のサイン。
【発明の詳細な説明】
【技術分野】
【０００１】
本発明は、特定の位置についての情報のデータベースを有する情報サーバ、遠隔地からデータベースにアクセス及び照会を行う電話機、及び関連するサインに関する。
【背景技術】
【０００２】
英国において、政府組織であるOrdnace Survey（参謀本部）は、ポイント、ライン及びエリアのような地図上の特徴をラベル付けする１６桁の地形上の識別子（TOID）と呼ばれるものを使用することを開示するURLアドレスがhttp://www.ordnancesurvey.gov.ukのウエブサイトを有する。これらのＴＯＩＤの規定された目的は、一貫性があると共に柔軟であり且つ交換可能なマッピングフォーマットを提供することであり、それによって、例えば、地図の特徴が、クラス毎に見られることができる。
【０００３】
米国特許第４５７７０６２号（Ｈｉｌｌｅａｒｙ（ヒラリー）等）は、特定の情報を変更データ源からユーザに自動的に配信する方法を開示しており、それによって、ユーザは、電話装置を使用して配付サービスにダイヤルすることによって情報にアクセスする。電話者の呼び出しと特定の情報要求に対応する数字のシーケンスが、自動的に処理される。データベースからの情報は、音声合成スピーチ信号によって電話者の電話機を介して電話者に送信される。
【０００４】
米国特許第６２２５９４４号（Ｈａｙｅｓ（ヘイス））は、モバイル通信ネットワークにおける位置データのマニュアル報告方法を開示している。特に、コラム２の２５行目から３０行目には、“その方法は、グローバルポジショニングシステム（ＧＰＳ）受信機から位置情報を集め、次に、その位置情報を送信する前に、テレタイプライタ／聾唖者用電話デバイスフォーマットにその位置情報を変換する”ことが開示されている。コラム５の第２３行目から第２５行目に開示されているように、これは、Ｂａｕｄｏｔ（ボード）、Ｖ２１、ＤＴＭＦ（デュアルトーンマルチ周波数）、及びＥＤＴ（ヨーロッパ聾唖者電話）、とＶ．１８プロトコルを使用して、実行される事ができる。
【発明の開示】
【課題を解決するための手段】
【０００５】
本発明に従って、サーバとそれに対応する電話機が設けられ、サーバは、各レコードが位置タグで識別され且つ特定の位置についての情報を含む、複数のレコードのデータベースを含み、位置タグの少なくとも幾つかは、対応する特定の位置でビジネスを遂行する組織体の名前の記述ではなく且つこれらの位置のアドレスの部分を形成しない。対応する通信電話機を使用して、ユーザは、遠隔地から、電話機のキーパッドを使用して位置タグを入力してデータベースにアクセスし且つ照会してその位置タグによって識別されるレコードに含まれる特定の位置についての情報を検索できる。
【０００６】
アクセスが電話機のキーパッドで行なわれるので、各位置タグが、０から９の番号と、任意ではあるが、星印（＊）及びハッシュ（＃）のみで構成される場合、便利である。
【０００７】
特定の位置についての情報は、例えば、その位置の座標（即ち、緯度、経度等）、その位置のアドレス、その位置の方向及びその特定の位置でビジネスを遂行する組織体のＩＤを含むことが意図される。
【０００８】
また、本発明に従って、位置され且つ前述のタイプの位置タグを搬送し、特に、ビルディングに取り付けられる壁板状物の形態であるサインであって、その位置タグによって識別されるレコード中に含まれる情報が、そのビルディングでビジネスを遂行する組織体に関連するサインが提供される。
【０００９】
特定の位置についての情報が、サーバから検索され、且つその位置の座標、その位置のアドレスまたはその位置の方向のいずれかを含む場合において、その電話機は、ユーザに対して、当該電話機の現在位置からその位置への方向を提供するように構成され得る。その場合には、電話機が位置決定手段よりなる場合便利であり、それによって、例えば、ＧＰＳ受信機、電話機ネットワーク位置決定回路等のようなそれ自体の位置を決定できる。
【００１０】
本発明者は、モバイル電話機を携えているモバイルユーザが移動上の特定の位置について、特に、ビルディングとその中の組織体についての情報にアクセスすることが望まれる場合を実現した。例えば、ビルディングに取り付けられるサイン上の任意の数字位置タグの用途は、即座の参照を提供し、それによって、電話機を使用して、ユーザがデータベースに照会できる。
【００１１】
本発明は、ここで、単なる例を介して、添付の図面を参照して記述される。
【発明を実施するための最良の形態】
【００１２】
図１は、夫々のユーザ（図示せず）に所有され且つ近傍のセルラー電話機ネットワークベースステーションＢＳに登録されたモバイルセルラー電話機ＭＳ１とＭＳ２が当該ベースステーションと対応するセルラー電話機ネットワークと通話とデータ通信することを示す。データ通信は、テキストメッセージ（例えば、短いメッセージサービス（ＳＭＳ）プロトコルを使用する）を送信し、インターネット（例えば、ＷＡＰまたはアイモード（登録商標）プロトコル）にアクセスすることを含むことが意図される。特に、モバイル電話機ＭＳ１とＭＳ２は、本発明に従う方法で、ベースステーションと公衆交換電話回路網ＰＳＴＮを介して遠隔地のインターネットベースの情報サーバＩＳと通信している。
【００１３】
図２において、電話機ＭＳ１がより詳細に示されており、この電話機ＭＳ１は、通信アンテナ２１に接続され且つ当該電話機が登録されるベースステーションＢＳとの通信のための通信マイクロプロセッサ（μｐ）２２によって制御される通信送信機（Ｔｘ）と受信機（Ｒｘ）２０を備える。図３は、電話機ＭＳ２をより詳細に示しており、この電話機は、この電話機ＭＳ２がＧＰＳアンテナ３１に接続されたＧＰＳ受信機（ＧＰＳ  Ｒｘ）３０を更に備えていることを除き電話機ＭＳ１と同様に構成される。また、通信マイクロプロセッサ（μｐ）２２は、更に、従来のナビゲーションアルゴリズムを使用してモバイル電話機の位置が決定される事ができる擬似レンジ情報を引き出す目的でＧＰＳ信号を捕獲し追跡するように構成される。ＧＰＳ信号の捕獲、追跡及び位置決定のためのそのような方法は、例えば、GPS Princiles and Application(Editor,Kaplan)ISBN 0-89006-793-7 Artech House（ＧＰＳの原理と応用（編集者：カプラン）国際標準図書番号０−８９００６−７９３−７：アルテックハウス）にて周知となっている。また、電話機ＭＳ１とＭＳ２のタイプの電話機の設計と製造は、周知であり、且つ本発明には直接に関係しないこれらの部品は、ここでは更に詳細には述べない。
【００１４】
図４は、遠隔地のインターネットベースの情報サーバＩＳをより詳細に示している。例示の如く、サーバは、信号を受信し且つインターネットに信号を送出するようように配置されると共にモバイル電話機ＭＳ１とＭＳ２から照会を受信するための送信機（Ｔｘ）と受信機（Ｒｘ）４０を含む。サーバは、更に、マイクロプロセッサ（μｐ）４１の制御下のデータベース４２を含み、データベースのレコードは、位置タグでインデックスされる夫々の位置についての情報を含み、その情報のフォーマットは、任意ではあるが電話機ＭＳ１とＭＳ２のキーパッドに見られるシンボル＃と＊が挿入される数字である。
【００１５】
特定の位置についての情報は、以下の例で示されるように、本発明に従って得られる。
【００１６】
実施例１
電話機ＭＳ１を所持するユーザは、そのユーザが会おうとしている友人からテキストメッセージを受信し、そのテキストメッセージは、その友人が、ユーザに会うために待っているレストランの入り口の壁に掛けられる、図５に示されるような、板状物上の位置タグである“０１２＃３４５＊６７８”にいることを意図していると仮定する。
【００１７】
位置タグが作られ且つ板状物が最初にレストランに配される時に、レコードは、情報サーバＩＳに保持されるデータベースに作られ、このレコードは、レストランの名前と住所及び入口が位置タグ“０１２＃３４５＊６７８”によってタグ付けされたレストランへの一般的方向を含む。
【００１８】
電話機ＭＳ１のユーザは、モバイルセルラー電話機を使用して、電話機ＭＳ１からベースステーションＢＳ、セルラーネットワークシステム（ＳＣ）及び公衆交換電話ネットワークＰＳＴＮを介してデータを送信及び受信することによって従来の方法でインターネットに接続する。次に、ユーザは、インターネットを介して情報サーバ（ＳＣ）にアクセスして位置タグ“０１２＃３４５＊６７８”を情報サーバに送信することによって情報サーバに保持されたデータベースに照会する。情報サーバ（ＩＳ）は、そのレストランの名前と住所、及びそのレストランへの一般的方向、即ち、位置タグが作られた時に作られたレコードの内容を送信する事によって応答する。更に、情報サーバは、選択されると、レストランが位置するエリアの地図を表示するマッピングウエブサイトへｕｒｌを提供する。
【００１９】
このように、データベースに照会すると、情報サーバは、電話機ＭＳ１のユーザがそのユーザの友人に会うためにレストランを見つける事ができる前述の詳細内容に従って応答する。
【００２０】
実施例２
電話機ＭＳ２を使用するユーザが情報サーバＩＳにアクセスして、位置タグ０１２＃３４５＊６７８”に加えて、情報サーバに電話機ＭＳ２のＧＰＳ受信機を使用して得られるユーザの現在位置を送信できること以外実施例１と同じである。情報サーバは、ユーザの現在位置からレストランへの特定の方向を送信して答える。
【００２１】
書き込み時に、マッピングウエブサイトhttp://www.multimap.co.ukによって、選択されると、ユーザを事前定義されたエリアの地図に案内するｕｒｌが作られる。同様に、同じウエブサイトは、一つの位置から他の位置への方向を提供する。従って、この機能性のメカニズムは、ここでは、詳細には述べられない。
【００２２】
上述の実施例２のＧＰＳ受信機の代わりとして、Ｅ−ＯＴＤのような電話機ネットワーク位置検出及びＧＬＯＮＡＳＳとＧＡＬＩＬＥＯのような他のＧＰＳタイプの解決策を含む位置検出技術の他の形態が使用されてもよい。
【００２３】
本明細書の開示を読むことにより、当業者であれば種々の変更が可能であることは明らかである。このような変更は、コンピュータシステム及びその構成パーツの設計と使用において既に公知であり、且つここで既に記述された特徴の代わりに或いはそれと共に使用されることができる他の特徴を含んでもよい。本出願において請求項は、特徴の特定の組み合わせに作られているが、本出願の開示の範囲は、明示的であろうと暗示的であろうと、ここで開示された新規の特徴いずれかまたは特徴の新規な組合せ、または請求項で現在請求されているものと同じ発明に関連するしないに拘らず、且つ本発明が軽減するのと同じ技術的問題のいずれかまたは全てを軽減するしないに拘らず、当業者にとって自明なこれらの特徴の一つまたは複数の一般化を含む。ここに、出願人は、新たな請求項が本出願或いは本出願から派生する更なる出願の継続中にこのような特徴及び／またはこのような特徴の組合せに表わされ得ることを指摘する。
【図面の簡単な説明】
【００２４】
【図１】本発明に従って、近傍のセルラー電話機ネットワークベースステーションＢＳと公共の電話交換ネットワーク（ＰＳＴＮ）を介して遠隔地のインターネットベースの情報サーバ（ＩＳ）と通信するモバイルセルラー電話機ＭＳ１とＭＳ２を示す図。
【図２】図１のモバイルセルラー電話機ＭＳ１をより詳細に示す図。
【図３】図１のモバイルセルラー電話機ＭＳ２をより詳細に示す図。
【図４】図１の遠隔地のインターネットベースの情報サーバ（ＩＳ）をより詳細に示す図。
【図５】本発明に従う壁板状物を示す図。
【図１】
2005521957.tif 000003
【図２】
2005521957.tif 000004
【図３】
2005521957.tif 000005
【図４】
2005521957.tif 000006
【図５】
2005521957.tif 000007
【国際調査報告】
2005521957.tif 000008
2005521957.tif 000009